(57)【要約】      （修正有）【課題】ソケットへの捻回装着時において、ガタツキや傾斜装着による接触不良、ランプ脱落等の危険がなく、照明電力の有効利用、ランプ器具の安全性向上を図ることができる捻回式ランプのランプベースを提供する。【解決手段】ランプベース６０は、一対の電極部５２ａ、５２ｂを専用のソケット１のランプ挿入孔に捻回装着する捻回式ランプのランプベース６０であって、ベース基体における円形胴部の外周に対称配置に設けられ、捻回装着終了時に、ソケット１に内蔵したリング状バネ材７のランプ挿入孔内に露出する一部に各々押圧接触して保持される一対の弧状カム片６１ａ、６１ｂと、ベース基体５８の端面中央部に設けられ、ソケットのランプ挿入孔領域の中央部に設けた突片に嵌合させるガイド穴部と、を有するものである。【選択図】図５
0003135408.tif 000002
【実用新案登録請求の範囲】
【請求項１】
一対の電極部を突出状態に備えて、前記一対の電極部を専用のソケットのランプ挿入孔内に捻回装着する捻回式ランプのランプベースであって、
円形のベース基部と、このベース基部と一体で、かつ、ベース基部より小径の円形胴部と、この円形胴部と一体で端面から一対の電極部を突出させたテーパ胴部と、を連設した略円板状のベース基体と、
このベース基体における円形胴部の外周に対称配置に設けられ、捻回装着終了時に、ソケットに内蔵したリング状バネ材のランプ挿入孔内に露出する一部に各々押圧接触して保持される一対の弧状カム片と、
前記テーパ胴部の端面中央部に設けられ、ソケットのランプ挿入孔領域の中央部に設けた突片に嵌合させるガイド穴部と、
を有することを特徴とする捻回式ランプのランプベース。
【請求項２】
一面側にランプ本体を支持する構成部分を具備し、他面側に一対の電極部を突出状態に備えて、前記一対の電極部を専用のソケットのランプ挿入孔内に捻回装着する捻回式ランプのランプベースであって、
前記ランプ本体を支持する構成部分を一体に支持する円形のベース基部と、このベース基部と一体で、かつ、当該ベース基部より小径の円形胴部と、この円形胴部と一体で端面から一対の電極部を前記ランプ本体を支持する構成部分とは反対側に突出させたテーパ胴部と、を連設した略円板状で絶縁材からなるベース基体と、
このベース基体における円形胴部の外周に円周方向に沿って対称配置に設けられ、捻回装着終了時に、ソケットに内蔵したリング状バネ材におけるランプ挿入孔内に一部が対称配置に露出する一対の直線部に各々押圧接触して保持される前記円形胴部外周からの突出寸法が漸増する形状の一対の弧状カム片と、
前記テーパ胴部の端面中央部に設けられ、ソケットのランプ挿入孔領域の中央部に開口側に向けて設けた突片に嵌合させるガイド穴部と、
を有することを特徴とする捻回式ランプのランプベース。
【請求項３】
一面側にランプ本体を支持する構成部分を具備し、他面側に一対の電極部を中心に対して１８０度対称配置で突出状態に備えて、前記一対の電極部を専用のソケットのランプ挿入孔内に捻回装着する捻回式ランプのランプベースであって、
前記ランプ本体を支持する構成部分を一体に支持する円形のベース基部と、このベース基部と一体で、かつ、当該ベース基部より小径の円形胴部と、この円形胴部と一体で端面から一対の電極部を前記ランプ本体を支持する構成部分とは反対側に突出させたテーパ胴部と、を連設した略円板状で絶縁材からなるベース基体と、
このベース基体における円形胴部の外周に円周方向に沿って中心に対して１８０度対称配置に設けられ、捻回装着終了時に、ソケットに内蔵したリング状バネ材におけるランプ挿入孔内の周壁近傍位置に一部が中心に対して１８０度対称配置に、かつ、前記円形胴部の外周と対向する状態に露出する一対の直線部に各々押圧接触して保持される前記円形胴部外周からの突出寸法が漸増する形状の一対の弧状カム片と、
前記テーパ胴部の端面中央部に設けられ、ソケットのランプ挿入孔領域の中央部に開口側に向けて設けた突片に嵌合させるガイド穴部と、
を有することを特徴とする捻回式ランプのランプベース。
【考案の詳細な説明】
【技術分野】
【０００１】
本考案は、捻回式ランプのランプベースに関し、詳しくは、対応するソケットへの装着安定性を向上させた捻回式ランプのランプベースに関するものである。
【背景技術】
【０００２】
従来、捻回式ランプ用のソケットに対して、突出ピン型の一対の電極部を備えた捻回式ランプの前記一対の電極部を含むベースの部分を装着して、捻回式ランプの発光部に通電し発光させる技術は慣用化され、多くの場所で日常的に実行されている。
【０００３】
この場合、従来においては、捻回式ランプのベース構造は汎用的なものであり、ソケットとの装着整合性が必ずしも良好でなく、このため、ガタツキや傾斜装着による接触不良、ランプ脱落等の好ましくない事態が多々生じ、照明電力の有効利用やランプ器具の安全性維持の観点から改善が要請されているところである。
【０００４】
特許文献１には、この種の捻回式ランプの関連技術として、ソケット本体の一対の電極受穴内にランプの各電極部の戻り規制を行なう導電材からなる板バネ式の電極部抑え部材等を備えた捻回式ランプ用のソケットが提案されている。
【特許文献１】登録実用新案第３１３１２１４号公報
【考案の開示】
【考案が解決しようとする課題】
【０００５】
本考案が解決しようとする問題点は、ソケットへの捻回装着時において、ガタツキや傾斜装着による接触不良、ランプ脱落等の危険がなく、照明電力の有効利用、ランプ器具の安全性向上を図ることができる捻回式ランプのランプベースが存在しない点である。
【課題を解決するための手段】
【０００６】
本考案の捻回式ランプのランプベースは、一対の電極部を突出状態に備えて、前記一対の電極部を専用のソケットのランプ挿入孔内に捻回装着する捻回式ランプのランプベースであって、円形のベース基部と、このベース基部と一体で、かつ、ベース基部より小径の円形胴部と、この円形胴部と一体で端面から一対の電極部を突出させたテーパ胴部と、を連設した略円板状のベース基体と、このベース基体における円形胴部の外周に対称配置に設けられ、捻回装着終了時に、ソケットに内蔵したリング状バネ材のランプ挿入孔内に露出する一部に各々押圧接触して保持される一対の弧状カム片と、前記テーパ胴部の端面中央部に設けられ、ソケットのランプ挿入孔領域の中央部に設けた突片に嵌合させるガイド穴部と、を有することを最も主要な特徴とする。
【考案の効果】
【０００７】
請求項１記載の考案によれば、ソケットに捻回装着した際の水平、垂直各方向へのガタツキや傾斜装着による接触不良が無く、また、ランプ脱落等の危険がなく、更にソケットへの誤装着も回避できる捻回式ランプのランプベースを提供することができる。
【０００８】
請求項２記載の考案によれば、ランプ本体を支持する構成部分を備え、一対の電極部を備えるベース基体、ベース基体の円形胴部外周からの突出寸法が漸増する形状の一対の弧状カム片、ソケット内に設けた突片に嵌合させるガイド穴部を具備する構成で、請求項１記載の考案と同様、ソケットに捻回装着した際の水平、垂直各方向へのガタツキや傾斜装着による接触不良が無く、また、ランプ脱落等の危険がなく、更にソケットへの誤装着も回避できる捻回式ランプのランプベースを提供することができる。
【０００９】
請求項３記載の考案によれば、ランプ本体を支持する構成部分、一対の電極部、一対の弧状カム片を各々中心に対して１８０度対称配置に設けた構成で、請求項２記載の考案と同様、ソケットに捻回装着した際の水平、垂直各方向へのガタツキや傾斜装着による接触不良が無く、また、ランプ脱落等の危険がなく、更にソケットへの誤装着も回避できる捻回式ランプのランプベースを提供することができる。
【考案を実施するための最良の形態】
【００１０】
本考案は、ソケットへの捻回装着時において、ガタツキや傾斜装着による接触不良、ランプ脱落等の危険がなく、照明電力の有効利用、ランプ器具の安全性向上を図ることができる捻回式ランプのランプベースを提供するという目的を有するものである。
本考案は、上記目的を、一面側にランプ本体を支持する構成部分を具備し、他面側に一対の電極部を中心に対して１８０度対称配置で突出状態に備えて、前記一対の電極部を専用のソケットのランプ挿入孔内に捻回装着する捻回式ランプのランプベースであって、前記ランプ本体を支持する構成部分を一体に支持する円形のベース基部と、このベース基部と一体で、かつ、当該ベース基部より小径の円形胴部と、この円形胴部と一体で端面から一対の電極部を前記ランプ本体を支持する構成部分とは反対側に突出させたテーパ胴部と、を連設した略円板状で絶縁材からなるベース基体と、このベース基体における円形胴部の外周に円周方向に沿って中心に対して１８０度対称配置に設けられ、捻回装着終了時に、ソケットに内蔵したリング状バネ材におけるランプ挿入孔内の周壁近傍位置に一部が中心に対して１８０度対称配置に、かつ、前記円形胴部の外周と対向する状態に露出する一対の直線部に各々押圧接触して保持される前記円形胴部外周からの突出寸法が漸増する形状の一対の弧状カム片と、前記テーパ胴部の端面中央部に設けられ、ソケットのランプ挿入孔領域の中央部に開口側に向けて設けた突片に嵌合させるガイド穴部と、を有する構成により実現した。
【実施例】
【００１１】
以下に、本考案の実施例に係る捻回式ランプ用のランプベース６０について図面を参照して詳細に説明する。
【００１２】
本実施例に係るランプベース６０は、図１乃至図５に示すように、一面側に捻回式ランプのランプ本体５１を構成するガラス製の外管５９の下部を保持し支持する構成部分を具備し、他面側に一対の電極部５２ａ、５２ｂを突出状態に備えて、前記一対の電極部５２ａ、５２ｂを詳細は後述する専用のソケット１のランプ挿入孔１２内に捻回装着するように構成している。
【００１３】
すなわち、本実施例に係るランプベース６０は、前記捻回式ランプのランプ本体５１を構成するガラス製の外管５９の下部を保持し支持する構成部分を一体に支持する円形のベース基部５５と、このベース基部５５と一体で、かつ、当該ベース基部５５より小径の円形胴部５６と、この円形胴部５６と一体で端面から一対の電極部５２ａ、５２ｂを中心に対して１８０度対称配置に前記ランプ本体を支持する構成部分とは反対側に突出させたテーパ胴部５７と、を連設した略円板状で絶縁材からなるベース基体５８を有している。なお、ランプ本体５１の発光部については図示省略する。
【００１４】
本実施例に係るランプベース６０は、更に図５に拡大して示すように、前記ベース基体５８における円形胴部５６の外周に中心に関して１８０度対称配置に、かつ、円周方向に沿って設けられ、ソケット１への捻回終了時に、ソケット１に内蔵したリング状バネ材７におけるランプ挿入孔内に一部が対称配置に露出する一対の直線部８ａ、８ｂに押圧接触する前記円形胴部５６の外周からの突出寸法が漸増する形状の一対の弧状カム片６１ａ、６１ｂと、前記テーパ胴部５７の端面（下面）中央部に設けられ、後述するソケット１内の突片２２ｃに係合させるガイド穴部（凹部）６２と、を具備している。
ガイド穴部６２は、前記テーパ胴部５７の端面中央に凹陥部を設けて一対の電極部５２ａ、５２ｂ間の沿面距離を大きくし、絶縁性を向上させる機能も有する。
【００１５】
次に、前記捻回式ランプ用のソケット１について図６乃至図１１を参照して詳細に説明する。
【００１６】
前記ランプベース６０用のソケット１は、図６、図７に示すように、前記ランプベース６０用の円形の挿入穴１２を有した例えば黒色に着色した絶縁材からなる上ソケット部１１と、前記一対の電極部５２ａ、５２ｂが捻回装着される一対の上部側にテーパ穴部２３を有する電極受穴２２及び各電極受穴２２に連なり一対の四角形状の（最大）収容穴２４を備える絶縁材からなる中ソケット部２１と、この中ソケット部２１の下側に配置され、前記ランプベース６０への通電用の一対の通電ケーブル５３ａ、５３ｂの一端を各々取り付けた絶縁材からなる下ソケット部３１との３段構造で、上ソケット部１１、中ソケット部２１、下ソケット部３１の外周近傍を上下に貫くように嵌装配置したネジ２を用いて一体化した全体として四隅を丸めた直方体状を呈するソケット本体４を具備している。
前記中ソケット部２１の中心部には、開口側に向けて設けた誤装着防止用の突片２２ｃを設けている。
【００１７】
前記中ソケット部２１に設けた電極受穴２２は、図６、図８に示すように、前記電極部５２ａ、５２ｂがテーパ穴部２３を通過して各々挿入される最大限に拡げる構造とした大寸法の電極挿入穴部２２ａと、前記電極部５２ａ、５２ｂが捻回して装着される小寸法の電極装着穴部２２ｂとを連ねた変形穴形状に形成している。
【００１８】
また、前記ランプベース６０用のソケット１は、板バネ式の一対の電極部抑え部材５を、前記一対の収容穴２４と一対の電極受穴２２とにわたって各々配置している。
【００１９】
すなわち、前記各電極部抑え部材５は、図９、図１０に示すように、銅板、ステンレス板等のバネ性を有する導電材を用いて形成した前記収容穴２４に固定される各基部６ａ、基部６ａに連なるＵ状の各バネ片６ｂ及びこのバネ片６ｂに連なり前記電極部５２ａ、５２ｂの外周に押圧接触する湾曲面を有する各電極接触片６ｃの一体構造で、各電極接触片６ｃを前記各電極装着穴部２２ｂに各々臨ませている。
【００２０】
そして、前記各電極部抑え部材５により、前記一対の電極装着穴部２２ｂ内に一対の電極部５２ａ、５２ｂが捻回装着された状態で、各電極部５２ａ、５２ｂの外周に各々前記各電極接触片６ｃを押圧接触させて各電極部５２ａ、５２ｂの戻り規制を行なうように構成している。
【００２１】
更に、ランプベース６０用のソケット１は、図６、図１１に示すように、例えば弾性を有するステンレス線材等からなる略四角形状を呈するリング状バネ材７を、前記ソケット本体４における前記上ソケット部１１の挿入穴１２の下部に臨ませて配置している。
【００２２】
前記リング状バネ材７は、前記上ソケット部１１と中ソケット部２１との境界部に配置されるものであり、平行配置の直線部８ａ、８ｂ、直線部８ａ、８ｂの各一端側を連結する弧状の連結部８ｃ、直線部８ａ、８ｂの各他端側から互いに近付くように突出させた弧状突出部８ｄ、８ｅ及び弧状突出部８ｄ、８ｅの突出端に各々設けた屈曲止部８ｆ、８ｇを具備している。
【００２３】
前記リング状バネ材７の直線部８ａ、８ｂは、挿入穴１２下部における周壁の近傍位置に中ソケット部２１の中心部を中心にして１８０度対称配置に、かつ、前記ランプベース６０装着時においてその円形胴部５６の外周と対向する状態に露出するようになっている。
【００２４】
本実施例に係るソケット１は、更に、図６乃至図８に示すように、所定の取り付け箇所へ固定するための取付穴９ａ、９ｂを有する取付金具９を下ソケット部３１に固着している。
【００２５】
次に、本実施例に係るランプベース６０の作用について、前記一対の弧状カム片６１ａ、６１ｂ及びガイド穴部６２の作用を主にし、図５も参照して説明する。
【００２６】
本実施例の捻回式ランプ用のランプベース６０を、前記ソケット１の挿入穴１２内に装着し、一対の電極部５２ａ、５２ｂを前記電極受穴２２における各電極挿入穴部２２ａに位置させる。
【００２７】
次に、ランプベース６０を時計方向（下側から見た場合図５に示すように反時計方向）に捻回する。
【００２８】
これにより、一対の電極部５２ａ、５２ｂは、各々電極装着穴部２２ｂ内に変位し、各電極部５２ａ、５２ｂの外周に各々前記各電極部抑え部材５の各電極接触片６ｃが押圧接触して、前記一対の電極部５２ａ、５２ｂと各電極部抑え部材５とが電気的接触状態となる。
【００２９】
このとき、前記挿入穴１２内に挿入される前記ランプベース６０における円形胴部５６と前記リング状バネ材７の直線部８ａ、８ｂの各一部とが対向する状態となり、ランプベース６０の時計方向への変位に伴って、前記一対の弧状カム片６１ａ、６１ｂが直線部８ａ、８ｂの各一部を押圧する状態で強固に接触する。
【００３０】
この結果、一対の弧状カム片６１ａ、６１ｂ、すなわち、前記ランプベース６０が挿入穴１２内においてソケット１により強固に保持され、このランプベース６０従ってランプ本体５１が、捻回装着終了時以降、水平、垂直各方向へのガタツキや傾斜装着による接触不良が無く、また、ランプ脱落等の危険がない状態でソケット１により保持されることになり、照明電力の有効利用、ランプ器具の安全性向上を図ることができる。
【００３１】
また、前記ランプベース６０をソケット１内に捻回装着する際、前記テーパ胴部５７の端面中央部に設けたガイド穴部６２が、前記中ソケット部２１の中心部に開口側に向けて設けた突片２２ｃに嵌合するので、これにより、前記ランプベース６０とソケット１とを正確に対応させ、誤装着を防止することができる。
すなわち、仮にガイド穴部６２を備えていないランプベースを前記ソケット１に装着しようとしても、このランプベースの場合には突片２２ｃに邪魔されて装着不能となる。
【００３２】
このようにして、本実施例によれば、水平、垂直各方向へのガタツキや傾斜装着による接触不良が無く、また、ランプ脱落等の危険がなく、更にソケットへの誤装着も回避できるランプベース６０を実現できる。
【産業上の利用可能性】
【００３３】
本考案は、捻回式ランプの寸法の大小を問わず適用でき、また、例えば差込式ランプのランプベースとしても応用可能である。
【図面の簡単な説明】
【００３４】
【図１】本考案の実施例に係る捻回式ランプのランプベースの正面図である。
【図２】本実施例に係る捻回式ランプのランプベースの平面図である。
【図３】本実施例に係る捻回式ランプのランプベースの側面図である。
【図４】本実施例に係る捻回式ランプのランプベースの一部切欠断面図である。
【図５】本実施例に係る捻回式ランプのランプベースのリング状バネ材に対する接触状態を示す作用説明図である。
【図６】本実施例に係るランプベース用のソケットの平面図である。
【図７】本実施例に係るランプベース用のソケットの側面図である。
【図８】本実施例に係るランプベース用のソケットの部分断面図である。
【図９】図８のＡ−Ａ線概略断面図である。
【図１０】本実施例に係るソケットにおける電極部抑え部材の斜視図である。
【図１１】本実施例に係るソケットにおけるリング状バネ材の斜視図である。
【符号の説明】
【００３５】
１    捻回式ランプ用のソケット
２    ネジ
４    ソケット本体
５    電極部抑え部材
６ａ  基部
６ｂ  バネ片
６ｃ  電極接触片
７    リング状バネ材
８ａ  直線部
８ｂ  直線部
８ｃ  連結部
８ｄ  弧状突出部
８ｅ  弧状突出部
８ｆ  屈曲止部
８ｇ  屈曲止部
９    取付金具
９ａ  取付穴
９ｂ  取付穴
１１    上ソケット部
１２    挿入穴
２１    中ソケット部
２２    電極受穴
２２ａ  電極挿入穴部
２２ｂ  電極装着穴部
２２ｃ  突片
２３    テーパ穴部
２４    （最大）収容穴
３１    下ソケット部
５１    ランプ本体
５２ａ  電極部
５２ｂ  電極部
５３ａ  通電ケーブル
５３ｂ  通電ケーブル
５５    ベース基部
５６    円形胴部
５７    テーパ胴部
５８    ベース基体
５９    外管
６０    ランプベース
６１ａ  弧状カム片
６１ｂ  弧状カム片
６２    ガイド穴部
【図１】
0003135408.tif 000003
【図２】
0003135408.tif 000004
【図３】
0003135408.tif 000005
【図４】
0003135408.tif 000006
【図５】
0003135408.tif 000007
【図６】
0003135408.tif 000008
【図７】
0003135408.tif 000009
【図８】
0003135408.tif 000010
【図９】
0003135408.tif 000011
【図１０】
0003135408.tif 000012
【図１１】
0003135408.tif 000013